(57)【要約】  眼鏡の実施形態を示す。眼鏡はフレームを含み、フレームは、ブリッジでつながれた第１及び第２のレンズを含む。フレームの各側部からテンプルピースが延びる。テンプルピースとフレームとの間のヒンジ又はヒンジポイントが眼鏡の面内にあることが可能であり、これによって、テンプルピースは、折り畳むとフレームにぴったり又はほぼぴったり付くことが可能である。眼鏡の厚さは、折り畳まれた形態では約３．５ｍｍ未満（例えば、２．６ｍｍ）であることが可能である。
2021534434.tif 000002
【特許請求の範囲】
【請求項１】
眼鏡であって、
鼻ブリッジでつながれた第１のレンズ及び第２のレンズを含むフレームと、
前記フレームの第１の端部から延びていて、折り畳まれるように構成された第１のテンプルピースであって、折り畳まれた形態では折り畳まれて前記フレームに付くように構成された前記第１のテンプルピースと、
前記フレームの第２の端部から延びている第２のテンプルピースであって、折り畳まれた形態では折り畳まれて前記フレームに付くように構成された前記第２のテンプルピースと、
前記第１のテンプルピースを前記フレームの前記第１の端部につないでいる第１のヒンジと、
前記第２のテンプルピースを前記フレームの前記第２の端部につないでいる第２のヒンジと、
を含み、
前記眼鏡の厚さが、前記折り畳まれた形態では、わずか３．５ｍｍである、
眼鏡。
【請求項２】
前記第１のヒンジは、前記フレーム及びレンズの面内に含まれたヒンジポイントを含む、請求項１に記載の眼鏡。
【請求項３】
前記第２のヒンジは、前記フレーム及びレンズの面内に含まれたヒンジポイントを含む、請求項１に記載の眼鏡。
【請求項４】
前記第１のヒンジは、前記フレーム及びレンズの面内に含まれている、請求項１に記載の眼鏡。
【請求項５】
前記第２のヒンジは、前記フレーム及びレンズの面内に含まれている、請求項１に記載の眼鏡。
【請求項６】
前記第１のレンズ及び前記第２のレンズの少なくとも一方が、高インデックス材料を含む非球面レンズである、請求項１に記載の眼鏡。
【請求項７】
前記非球面レンズを前記フレームまで延ばす為に、前記レンズのエッジに付加レンズ材料が追加されている、請求項６に記載の眼鏡。
【請求項８】
前記フレームは剛体材料を含む、請求項１に記載の眼鏡。
【請求項９】
請求項１に記載の眼鏡と、厚さが約４．５ｍｍであるケースと、を含むアイウェアシステム。
【請求項１０】
前記第１のヒンジ及び前記第２のヒンジの少なくとも一方が、前記フレームにつながる為の、オーバモールドされた、起伏のあるインサートを含む、請求項１に記載の眼鏡。
【請求項１１】
前記第１のヒンジ及び前記第２のヒンジの少なくとも一方が、前記フレームにつながる為の、オーバモールドされた、正弦波形状のインサートを含む、請求項１に記載の眼鏡。
【請求項１２】
前記第１のヒンジ及び前記第２のヒンジの少なくとも一方が、前記対応するヒンジにつながる為の、オーバモールドされた、ジグザグ形状のインサートを含む、請求項１に記載の眼鏡。
【請求項１３】
前記オーバモールドされたインサートはプラスチックオーバモールドを含む、請求項１０〜１２のいずれか一項に記載の眼鏡。
【請求項１４】
前記眼鏡の厚さは、前記折り畳まれた形態では約３．２ｍｍである、請求項１に記載の眼鏡。
【請求項１５】
前記眼鏡の厚さは、前記折り畳まれた形態では約２．６ｍｍである、請求項１に記載の眼鏡。
【請求項１６】
前記第１のレンズ及び前記第２のレンズの少なくとも一方が、高インデックスの非球面レンズを含む、請求項１に記載の眼鏡。
【請求項１７】
前記フレームはポリカーボネートを含む、請求項１に記載の眼鏡。
【請求項１８】
前記第１のヒンジ及び前記第２のヒンジの少なくとも一方がポリカーボネートを含む、請求項１に記載の眼鏡。
【請求項１９】
前記第１のヒンジ及び前記第２のヒンジの少なくとも一部が前記フレームと一体成形されている、請求項１に記載の眼鏡。
【請求項２０】
前記第１のヒンジ及び前記第２のヒンジの少なくとも一部が、前記フレームとは別個に成形されて、前記フレームに取り付けられている、請求項１に記載の眼鏡。
【請求項２１】
前記第１のテンプルピース及び前記第２のテンプルピースの少なくとも一方が金属を含む、請求項１に記載の眼鏡。
【請求項２２】
前記第１のテンプルピース及び前記第２のテンプルピースの少なくとも一方がニチノールを含む、請求項１に記載の眼鏡。
【請求項２３】
前記第１のテンプルピース及び前記第２のテンプルピースの少なくとも一方が、前記フレームの色又はデザインと調和するようにめっき又はペイントが施されている、請求項１に記載の眼鏡。
【請求項２４】
前記フレームは色又はデザインを含む、請求項１に記載の眼鏡。
【請求項２５】
前記ヒンジは、前記第１のテンプルピース及び前記第２のテンプルピースの少なくとも一方のテンプルピースの端部に形成されたループと、前記フレームのエッジに形成されたポケットと、を含み、前記ループは前記ポケットに挿入されるように構成されている、請求項１に記載の眼鏡。
【請求項２６】
前記ポケット及び前記ループの貫通穴に挿入されたピンを更に含み、前記ループは前記ピンを中心に回転するように構成されている、請求項２５に記載の眼鏡。
【請求項２７】
前記ループ内に挿入されるように構成されたベアリングを更に含む、請求項２５に記載の眼鏡。
【請求項２８】
眼鏡の製造方法であって、
鼻ブリッジでつながれた第１のレンズ及び第２のレンズを含むフレームを用意するステップと、
前記フレームの第１の端部から延びて、折り畳まれるように構成された第１のテンプルピースであって、折り畳まれた形態では折り畳まれて前記フレームに付くように構成された前記第１のテンプルピースを用意するステップと、
前記フレームの第２の端部から延びる第２のテンプルピースであって、折り畳まれた形態では折り畳まれて前記フレームに付くように構成された前記第２のテンプルピースを用意するステップと、
前記第１のテンプルピースを前記フレームの前記第１の端部につなぐ第１のヒンジを用意するステップと、
前記第２のテンプルピースを前記フレームの前記第２の端部につなぐ第２のヒンジを用意するステップと、
を含み、
前記眼鏡の厚さが、前記折り畳まれた形態では、わずか３．５ｍｍである、
方法。
【請求項２９】
前記フレームへのＵＶ印刷により、色又は模様を付けるステップを更に含む、請求項２８に記載の方法。
【請求項３０】
前記第１及び第２のテンプルピースの少なくとも一方にめっきを行うことによって色又はデザインを施すステップを更に含む、請求項２８に記載の方法。
【請求項３１】
前記第１及び第２のテンプルピースの少なくとも一方にソフトタッチペイントを適用して色又はデザインを施すステップを更に含む、請求項２８に記載の方法。
【請求項３２】
前記レンズの少なくとも一方が、高インデックス材料を含む非球面レンズである、請求項２８に記載の方法。
【請求項３３】
前記フレームを用意する前記ステップは、前記非球面レンズを、前記フレームに届くように延ばす為に、前記非球面レンズのエッジに付加材料を追加するステップを含む、請求項３２に記載の方法。
【請求項３４】
前記フレームを用意する前記ステップは、前記非球面レンズの前記エッジを厚くする為に、前記非球面レンズのエッジに付加材料を追加するステップを含む、請求項３２に記載の方法。
【請求項３５】
鼻ブリッジでつながれた第１のレンズ及び第２のレンズを含むフレームであって、前記２つのレンズの少なくとも一方が、高インデックス材料を含む非球面レンズであり、前記非球面レンズのエッジが、前記非球面レンズの前記エッジを厚くする為の付加材料を含む、前記フレームと、
前記フレームの第１の端部から延びていて、折り畳まれるように構成された第１のテンプルピースであって、折り畳まれた形態では折り畳まれて前記フレームに付くように構成された前記第１のテンプルピースと、
前記フレームの第２の端部から延びている第２のテンプルピースであって、折り畳まれた形態では折り畳まれて前記フレームに付くように構成された前記第２のテンプルピースと、
前記第１のテンプルピースを前記フレームの前記第１の端部につないでいる第１のヒンジと、
前記第２のテンプルピースを前記フレームの前記第２の端部につないでいる第２のヒンジと、
を含む眼鏡。
【請求項３６】
前記非球面レンズのインデックスは約１．５〜１．７５である、請求項３５に記載の眼鏡。
【請求項３７】
前記眼鏡の厚さが、折り畳まれた形態では約３．５ｍｍ未満である、請求項３５に記載の眼鏡。
【請求項３８】
前記フレームの厚さが約２ｍｍである、請求項３５に記載の眼鏡。
【請求項３９】
前記フレームはポリマーを含む、請求項３５に記載の眼鏡。
【請求項４０】
前記フレームはポリカーボネートを含む、請求項３５に記載の眼鏡。
【請求項４１】
前記第１のヒンジは、前記フレーム及びレンズの面内に含まれたヒンジポイントを含む、請求項３５に記載の眼鏡。
【請求項４２】
前記第２のヒンジは、前記フレーム及びレンズの面内に含まれたヒンジポイントを含む、請求項３５に記載の眼鏡。
【請求項４３】
前記第１のヒンジは、前記フレーム及びレンズの面内に含まれている、請求項３５に記載の眼鏡。
【請求項４４】
前記第２のヒンジは、前記フレーム及びレンズの面内に含まれている、請求項３５に記載の眼鏡。
【請求項４５】
請求項３５に記載の眼鏡と、厚さが約４．３５〜４．５ｍｍであるケースと、を含むアイウェアシステム。
【請求項４６】
前記第１のヒンジ及び前記第２のヒンジの少なくとも一方が、前記フレームにつながる為の、オーバモールドされた、起伏のあるインサートを含む、請求項３５に記載の眼鏡。
【請求項４７】
前記第１のヒンジ及び前記第２のヒンジの少なくとも一方が、前記フレームにつながる為の、オーバモールドされた、正弦波形状のインサートを含む、請求項３５に記載の眼鏡。
【請求項４８】
前記第１のヒンジ及び前記第２のヒンジの少なくとも一方が、前記フレームにつながる為の、オーバモールドされた、ジグザグ形状のインサートを含む、請求項３５に記載の眼鏡。
【請求項４９】
前記オーバモールドされたインサートはプラスチックフィレットを含む、請求項４６〜４８のいずれか一項に記載の眼鏡。
【請求項５０】
前記眼鏡の厚さは、前記折り畳まれた形態では約３．２ｍｍである、請求項３５に記載の眼鏡。
【請求項５１】
前記眼鏡の厚さは、前記折り畳まれた形態では約２．６ｍｍである、請求項３５に記載の眼鏡。
【請求項５２】
前記第１のレンズ及び前記第２のレンズの両方が高インデックスの非球面レンズを含む、請求項３５に記載の眼鏡。
【請求項５３】
前記フレームはポリカーボネートを含む、請求項３５に記載の眼鏡。
【請求項５４】
前記第１のヒンジ及び前記第２のヒンジの少なくとも一方がポリカーボネートを含む、請求項３５に記載の眼鏡。
【請求項５５】
前記第１のヒンジ及び前記第２のヒンジが前記フレームと一体成形されている、請求項３５に記載の眼鏡。
【請求項５６】
前記第１のヒンジ及び前記第２のヒンジが、前記フレームとは別個に成形されて、前記フレームに取り付けられている、請求項３５に記載の眼鏡。
【請求項５７】
前記第１のテンプルピース及び前記第２のテンプルピースの少なくとも一方がニチノールを含む、請求項３５に記載の眼鏡。
【請求項５８】
前記第１のテンプルピース及び前記第２のテンプルピースの少なくとも一方が、前記フレームの色又はデザインと調和するようにめっき又はペイントが施されている、請求項３５に記載の眼鏡。
【請求項５９】
前記フレームは色又はデザインを含む、請求項３５に記載の眼鏡。
【請求項６０】
前記ヒンジは、前記第１のテンプルピース及び前記第２のテンプルピースの少なくとも一方のテンプルピースの端部に形成されたループと、前記フレームのエッジに形成されたポケットと、を含み、前記ループは前記ポケットに挿入されるように構成されている、請求項３５に記載の眼鏡。
【請求項６１】
前記ポケット及び前記ループの貫通穴に挿入されたピンを更に含み、前記ループは前記ピンを中心に回転するように構成されている、請求項６０に記載の眼鏡。
【請求項６２】
前記ループ内に挿入されるように構成されたベアリングを更に含む、請求項６０に記載の眼鏡。
【請求項６３】
眼鏡の製造方法であって、
鼻ブリッジでつながれた２つのレンズ開口部を含むフレームを用意するステップと、
前記レンズ開口部に配置される２つのレンズであって、前記２つのレンズの少なくとも一方が、高インデックス材料を含む非球面レンズである、前記２つのレンズを用意するステップと、
前記レンズの前記エッジを厚くして、前記レンズと前記レンズ開口部とのつながりを強化する為に、前記非球面レンズのエッジに付加材料を追加するステップと、
前記フレームの第１の端部から延びて、折り畳まれるように構成された第１のテンプルピースであって、折り畳まれた形態では折り畳まれて前記フレームに付くように構成された前記第１のテンプルピースを用意するステップと、
前記フレームの第２の端部から延びる第２のテンプルピースであって、折り畳まれた形態では折り畳まれて前記フレームに付くように構成された前記第２のテンプルピースを用意するステップと、
前記第１のテンプルピースを前記フレームの前記第１の端部につなぐ第１のヒンジを用意するステップと、
前記第２のテンプルピースを前記フレームの前記第２の端部につなぐ第２のヒンジを用意するステップと、
を含む方法。
【請求項６４】
前記フレームへのＵＶ印刷により、色又は模様を付けるステップを更に含む、請求項６３に記載の方法。
【請求項６５】
前記第１及び第２のテンプルピースの少なくとも一方にめっきを行うことによって色又はデザインを施すステップを更に含む、請求項６３に記載の方法。
【請求項６６】
前記第１及び第２のテンプルピースの少なくとも一方にソフトタッチペイントを適用して色又はデザインを施すステップを更に含む、請求項６３に記載の方法。
【請求項６７】
前記非球面レンズのエッジに付加材料を追加する前記ステップによって、前記レンズが前記レンズ開口部のエッジまで延びる、請求項６３に記載の方法。
【請求項６８】
鼻ブリッジでつながれた第１のレンズ及び第２のレンズを含むフレームであって、前記フレームの第１の端部に形成された第１のポケットと、前記フレームの第２の端部に形成された第２のポケットと、を含む前記フレームと、
前記フレームの前記第１の端部から延びて、折り畳まれるように構成された第１のテンプルピースであって、前記第１のテンプルピースは、折り畳まれた形態では折り畳まれて前記フレームに付くように構成されており、前記第１のテンプルピースは、前記テンプルピースの端部に形成された第１のループを含み、前記第１のループは、前記フレームの前記第１のポケットに挿入されるように構成されている、前記第１のテンプルピースと、
前記フレームの前記第２の端部から延びる第２のテンプルピースであって、前記第２のテンプルピースは、折り畳まれた形態では折り畳まれて前記フレームに付くように構成されており、前記第２のテンプルピースは、前記テンプルピースの端部に形成された第２のループを含み、前記第２のループは、前記フレームの前記第２のポケットに挿入されるように構成されている、前記第２のテンプルピースと、
を含む眼鏡。
【請求項６９】
前記第１及び第２のループ内に挿入されるように構成されたベアリングを更に含む、請求項６７に記載の眼鏡。
【請求項７０】
前記第１のポケット及び前記第１のループの貫通穴に挿入されるように構成された第１のピンと、前記第２のポケット及び前記第２のループの貫通穴に挿入されるように構成された第２のピンと、を更に含む、請求項６７に記載の眼鏡。
【発明の詳細な説明】
【技術分野】
【０００１】
関連出願の相互参照
本出願は、参照によって全開示内容が本明細書に組み込まれている、２０１７年９月１５日に出願された米国特許仮出願第６２／５５９，４１９号に関連するものと考えられてよい。
【０００２】
文献の引用
本明細書中において言及される全ての公表文献及び特許出願は、それぞれ個々の公表文献又は特許出願が参照により具体的且つ個別に示されて組み込まれるのと同程度に、参照により完全な形で本明細書に組み込まれる。
【０００３】
本出願は、アイウェアの分野に関する。
【背景技術】
【０００４】
一時的に使用されるアイウェア、そして特に眼鏡（例えば、サングラス、老眼鏡、保護眼鏡等）は、持ち運びに便利なように、薄いデザインであることが有利である。そのような眼鏡は、キーホルダ、スマートフォン、衣服等に取り付けられた、コンパクトで使いやすいキャリングケースとともに使用されることも可能であり、或いは、ポケットや財布に入れられることも可能である。本出願は、眼鏡フレームの厚さとそんなに違わない大きさのキャリングケースに折り畳まれて挿入されることが可能な極薄眼鏡を作成する便利な方法を提供する。
【発明の概要】
【発明が解決しようとする課題】
【０００５】
本発明は、上記従来技術の課題を解決するためになされたものである。
【課題を解決するための手段】
【０００６】
本発明の一態様では、眼鏡の実施形態が提供される。眼鏡は、鼻ブリッジでつながれた第１のレンズ及び第２のレンズを含むフレームと、フレームの第１の端部から延びていて、折り畳まれるように構成された第１のテンプルピースであって、折り畳まれた形態では折り畳まれてフレームに付くように構成された第１のテンプルピースと、フレームの第２の端部から延びている第２のテンプルピースであって、折り畳まれた形態では折り畳まれてフレームに付くように構成された第２のテンプルピースと、第１のテンプルピースをフレームの第１の端部につないでいる第１のヒンジと、第２のテンプルピースをフレームの第２の端部につないでいる第２のヒンジと、を含み、眼鏡の厚さが、折り畳まれた形態では、わずか３．５ｍｍである。
【０００７】
幾つかの実施形態では、第１のヒンジは、フレーム及びレンズの面内に含まれたヒンジポイントを含む。第２のヒンジは、フレーム及びレンズの面内に含まれたヒンジポイントを含んでよい。幾つかの実施形態では、第１のヒンジは、フレーム及びレンズの面内に含まれている。第２のヒンジは、フレーム及びレンズの面内に含まれてよい。幾つかの実施形態では、第１のレンズ及び第２のレンズの少なくとも一方が、高インデックス材料を含む非球面レンズである。非球面レンズをフレームまで延ばす為に、レンズのエッジに付加レンズ材料が追加されてよい。幾つかの実施形態では、レンズのインデックスは約１．５〜１．７５である。他のインデックスも可能である。幾つかの実施形態では、眼鏡と、厚さが約４．５ｍｍであるケースと、を含むアイウェアシステムが提供される。幾つかの実施形態では、第１のヒンジ及び第２のヒンジの少なくとも一方が、フレームにつながる為の、オーバモールドされた、起伏のあるインサートを含む。第１のヒンジ及び第２のヒンジの少なくとも一方が、フレームにつながる為の、オーバモールドされた、正弦波形状のインサートを含んでよい。幾つかの実施形態では、第１のヒンジ及び第２のヒンジの少なくとも一方が、対応するヒンジにつながる為の、オーバモールドされた、ジグザグ形状のインサートを含む。オーバモールドされたインサートはプラスチックオーバモールドを含んでよい。幾つかの実施形態では、眼鏡の厚さは、折り畳まれた形態では約３．２ｍｍである。幾つかの実施形態では、眼鏡の厚さは、折り畳まれた形態では約２．６ｍｍである。第１のレンズ及び第２のレンズの少なくとも一方が、高インデックスの非球面レンズを含んでよい。フレームはポリカーボネートを含んでよい。幾つかの実施形態では、第１のヒンジ及び第２のヒンジの少なくとも一方がポリカーボネートを含む。第１のヒンジ及び第２のヒンジの少なくとも一部がフレームと一体成形されてよい。幾つかの実施形態では、第１のヒンジ及び第２のヒンジの少なくとも一部が、フレームとは別個に成形されて、フレームに取り付けられている。第１のテンプルピース及び第２のテンプルピースの少なくとも一方が金属を含んでよい。幾つかの実施形態では、第１のテンプルピース及び第２のテンプルピースの少なくとも一方がニチノールを含む。第１のテンプルピース及び第２のテンプルピースの少なくとも一方が、フレームの色又はデザインと調和するようにめっき又はペイントが施されてよい。フレームは、色又はデザインを含んでよい。幾つかの実施形態では、ヒンジは、第１のテンプルピース及び第２のテンプルピースの少なくとも一方のテンプルピースの端部に形成されたループと、フレームのエッジに形成されたポケットと、を含み、ループはポケットに挿入されるように構成されている。眼鏡は、ポケット及びループの貫通穴に挿入されたピンを含んでよく、ループはピンを中心に回転するように構成されている。幾つかの実施形態では、眼鏡は、ループ内に挿入されるように構成されたベアリングを含む。
【０００８】
別の態様では、眼鏡の製造方法が提供される。本方法は、鼻ブリッジでつながれた第１のレンズ及び第２のレンズを含むフレームを用意するステップと、フレームの第１の端部から延びて、折り畳まれるように構成された第１のテンプルピースであって、折り畳まれた形態では折り畳まれてフレームに付くように構成された第１のテンプルピースを用意するステップと、フレームの第２の端部から延びる第２のテンプルピースであって、折り畳まれた形態では折り畳まれてフレームに付くように構成された第２のテンプルピースを用意するステップと、第１のテンプルピースをフレームの第１の端部につなぐ第１のヒンジを用意するステップと、第２のテンプルピースをフレームの第２の端部につなぐ第２のヒンジを用意するステップと、を含み、眼鏡の厚さが、折り畳まれた形態では、わずか３．５ｍｍである。
【０００９】
幾つかの実施形態では、本方法は、フレームへのＵＶ印刷により、色又は模様を付けるステップを含む。本方法は、第１及び第２のテンプルピースの少なくとも一方にめっきを行うことによって色又はデザインを施すステップを含んでよい。幾つかの実施形態では、本方法は、第１及び第２のテンプルピースの少なくとも一方にソフトタッチペイントを適用して色又はデザインを施すステップを含む。それらのレンズの少なくとも一方が、高インデックス材料を含む非球面レンズであってよい。レンズのインデックスは約１．５〜１．７５であってよい。他のインデックスも可能である。幾つかの実施形態では、フレームを用意するステップは、非球面レンズを、フレームに届くように延ばす為に、非球面レンズのエッジに付加材料を追加するステップを含む。フレームを用意するステップは、非球面レンズのエッジを厚くする為に、非球面レンズのエッジに付加材料を追加するステップを含んでよい。
【００１０】
別の態様では、眼鏡の実施形態が提供される。眼鏡は、鼻ブリッジでつながれた第１のレンズ及び第２のレンズを含むフレームであって、この２つのレンズの少なくとも一方が、高インデックス材料を含む非球面レンズであり、非球面レンズのエッジが、非球面レンズがレンズ開口部のエッジに届くように非球面レンズを延ばす為の付加材料を含む、フレームと、フレームの第１の端部から延びていて、折り畳まれるように構成された第１のテンプルピースであって、折り畳まれた形態では折り畳まれてフレームに付くように構成された第１のテンプルピースと、フレームの第２の端部から延びている第２のテンプルピースであって、折り畳まれた形態では折り畳まれてフレームに付くように構成された第２のテンプルピースと、第１のテンプルピースをフレームの第１の端部につないでいる第１のヒンジと、第２のテンプルピースをフレームの第２の端部につないでいる第２のヒンジと、を含む。
【００１１】
幾つかの実施形態では、非球面レンズのインデックスは約１．５〜１．７５である。他のインデックスも可能である。眼鏡の厚さは、折り畳まれた形態では、わずか約３．５ｍｍ未満であってよい。フレームの厚さは、約２ｍｍであってよい。フレームは、ポリマーを含んでよい。フレームは、剛体であってよい。フレームは、ポリカーボネートを含んでよい。幾つかの実施形態では、第１のヒンジは、フレーム及びレンズの面内に含まれたヒンジポイントを含む。第２のヒンジは、フレーム及びレンズの面内に含まれたヒンジポイントを含んでよい。幾つかの実施形態では、第１のヒンジは、フレーム及びレンズの面内に含まれている。第２のヒンジは、フレーム及びレンズの面内に含まれてよい。幾つかの実施形態では、眼鏡と、厚さが約４．３５〜４．５ｍｍであるケースと、を含むアイウェアシステムが提供される。幾つかの実施形態では、第１のヒンジ及び第２のヒンジの少なくとも一方が、フレームにつながる為の、オーバモールドされた、起伏のあるインサートを含む。第１のヒンジ及び第２のヒンジの少なくとも一方が、フレームにつながる為の、オーバモールドされた、正弦波形状のインサートを含んでよい。幾つかの実施形態では、第１のヒンジ及び第２のヒンジの少なくとも一方が、フレームにつながる為の、オーバモールドされた、ジグザグ形状のインサートを含む。オーバモールドされたインサートは、プラスチックフィレットを含んでよい。幾つかの実施形態では、眼鏡の厚さは、折り畳まれた形態では約３．２ｍｍである。眼鏡の厚さは、折り畳まれた形態では約２．６ｍｍであってよい。幾つかの実施形態では、第１のレンズ及び第２のレンズの両方が高インデックスの非球面レンズを含む。フレームは、ポリカーボネートを含んでよい。幾つかの実施形態では、第１のヒンジ及び第２のヒンジの少なくとも一方がポリカーボネートを含む。第１のヒンジ及び第２のヒンジがフレームと一体成形されてよい。幾つかの実施形態では、第１のヒンジ及び第２のヒンジが、フレームとは別個に成形されて、フレームに取り付けられている。第１のテンプルピース及び第２のテンプルピースの少なくとも一方がニチノールを含んでよい。幾つかの実施形態では、第１のテンプルピース及び第２のテンプルピースの少なくとも一方が、フレームの色又はデザインと調和するようにめっき又はペイントが施されている。フレームは、色又はデザインを含んでよい。幾つかの実施形態では、ヒンジは、第１のテンプルピース及び第２のテンプルピースの少なくとも一方のテンプルピースの端部に形成されたループと、フレームのエッジに形成されたポケットと、を含み、ループはポケットに挿入されるように構成されている。眼鏡及びヒンジは、ポケット及びループの貫通穴に挿入されたピンを含んでよく、ループはピンを中心に回転するように構成されている。眼鏡及びヒンジは、ループ内に挿入されるように構成されたベアリングを含んでよい。
【００１２】
更に別の態様では、眼鏡の製造方法が提供される。本方法は、鼻ブリッジでつながれた２つのレンズ開口部を含むフレームを用意するステップと、レンズ開口部に配置される２つのレンズであって、その２つのレンズの少なくとも一方が、高インデックス材料を含む非球面レンズである、２つのレンズを用意するステップと、レンズのエッジを厚くして、レンズとレンズ開口部とのつながりを強化する為に、非球面レンズのエッジに付加材料を追加するステップと、フレームの第１の端部から延びて、折り畳まれるように構成された第１のテンプルピースであって、折り畳まれた形態では折り畳まれてフレームに付くように構成された第１のテンプルピースを用意するステップと、フレームの第２の端部から延びる第２のテンプルピースであって、折り畳まれた形態では折り畳まれてフレームに付くように構成された第２のテンプルピースを用意するステップと、第１のテンプルピースをフレームの第１の端部につなぐ第１のヒンジを用意するステップと、第２のテンプルピースをフレームの第２の端部につなぐ第２のヒンジを用意するステップと、を含む。
【００１３】
幾つかの実施形態では、本方法は、フレームへのＵＶ印刷により、色又は模様を付けるステップを含む。本方法は、第１及び第２のテンプルピースの少なくとも一方にめっきを行うことによって色又はデザインを施すステップを含んでよい。幾つかの実施形態では、本方法は、第１及び第２のテンプルピースの少なくとも一方にソフトタッチペイントを適用して色又はデザインを施すステップを含む。非球面レンズのエッジに付加材料を追加するステップによって、レンズを、レンズ開口部のエッジに届くように延ばすことが可能である。
【００１４】
別の態様では、眼鏡の実施形態が提供される。眼鏡は、鼻ブリッジでつながれた第１のレンズ及び第２のレンズを含むフレームであって、フレームの第１の端部に形成された第１のポケットと、フレームの第２の端部に形成された第２のポケットと、を含むフレームと、フレームの第１の端部から延びて、折り畳まれるように構成された第１のテンプルピースであって、第１のテンプルピースは、折り畳まれた形態では折り畳まれてフレームに付くように構成されており、第１のテンプルピースは、このテンプルピースの端部に形成された第１のループを含み、第１のループは、フレームの第１のポケットに挿入されるように構成されている、第１のテンプルピースと、フレームの第２の端部から延びる第２のテンプルピースであって、第２のテンプルピースは、折り畳まれた形態では折り畳まれてフレームに付くように構成されており、第２のテンプルピースは、このテンプルピースの端部に形成された第２のループを含み、第２のループは、フレームの第２のポケットに挿入されるように構成されている、第２のテンプルピースと、を含む。眼鏡は、第１及び第２のループ内に挿入されるように構成されたベアリングを含んでよい。眼鏡は、第１のポケット及び第１のループの貫通穴に挿入されるように構成された第１のピンと、第２のポケット及び第２のループの貫通穴に挿入されるように構成された第２のピンと、を含んでよい。
【００１５】
後述の特許請求の範囲において、本発明の新規な特徴を具体的に説明する。本発明の原理が利用される例示的実施形態を説明する後述の詳細説明と、以下の添付図面とを参照することにより、本発明の特徴及び利点がよりよく理解されよう。
【図面の簡単な説明】
【００１６】
【図１Ａ】乃至
【図１Ｄ】眼鏡の一実施形態を示す図である。
【図２Ａ】乃至
【図２Ｆ】眼鏡の別の実施形態を示す図である。
【図３Ａ】乃至
【図３Ｂ】ヒンジにつながるテンプルピースインサートの一実施形態を示す図である。
【図４Ａ】乃至
【図４Ｄ】本明細書に開示の眼鏡の為のケースの一実施形態を示す図である。
【図５Ａ】乃至
【図５Ｂ】ケース及びケース内に配置された眼鏡の一実施形態を示す図である。
【図６Ａ】乃至
【図６Ｄ】ヒンジの一実施形態を示す図である。
【発明を実施するための形態】
【００１７】
本明細書では極薄眼鏡の実施形態を示す。眼鏡は薄いフレームを含み、フレームは、鼻ブリッジでつながった２つのレンズを含む。フレームの各端部からテンプルピースが延びる。テンプルピースは、折り畳むとフレーム及びレンズにぴったり又はほぼぴったり付くように構成されることが可能であり、折り畳んだ形態ではテンプルピースとフレームとの間に隙間がほとんど又は全くない。フレームは、プラスチック材料又はポリマー材料を含んでよく、そのような材料から全体が成形されてよい。このようなデザインは、フレームを非常に薄型にして（例えば、３．５ｍｍ未満の薄さにして）、ユーザが眼鏡を電話と重ねたり、財布に入れたり、ポケットに入れたりするなどして持ち運ぶことが容易に可能になることを考慮に入れたものであってよい。
【００１８】
現時点で入手可能な薄型眼鏡は一般に、折り畳むとフレームにぴったり又はほぼぴったり付くように構成された伝統的なテンプルピースを含まない。そのようなテンプルピースは、ユーザに安定性をもたらすことが可能であるとともに、所望の美観作用をもたらすことが可能である。安定性を強化することにより、読書に限らず、様々な活動の実施中に眼鏡を装着することが可能になる。所望の美観作用は、テンプルピースを伝統的なスタイリッシュなテンプルピースデザインに似せることによって可能である。澤田雅広氏が製造するペーパーグラスは、折り畳むと、レンズに付くのではなく、レンズの上方に来るように構成された、湾曲したテンプルピースを利用する。これによって薄い眼鏡が製造されるが、この眼鏡は伝統的なデザインではない為に、多くのユーザに訴求するものにはならない可能性がある。
【００１９】
図１Ａ〜Ｄは、眼鏡の一実施形態１００の様々な図を示す。図１Ａの上面斜視図、及び図１Ｂの正面図に示されるように、眼鏡１００はフレーム１０２を含む。フレーム１０２は、第１のレンズ１０４及び第２のレンズ１０６を含む。レンズ１０４、１０６は、鼻ブリッジ１０８でつながっている。第１のレンズ１０４に隣接する、フレーム１０２の第１の側部から第１のテンプルピース１１０が延びる。第２のレンズ１０６に隣接する、フレーム１０２の第２の側部から第２のテンプルピース１１２が延びる。第１のテンプルピース１１０は、ヒンジ１１４でフレーム１０２につながっている。第２のテンプルピース１１２は、ヒンジ１１６でフレーム１０２につながっている。一方又は両方のテンプルピースがテンプルチップ部分１１８、１２０を含んでよい。
【００２０】
幾つかの実施形態では、フレームはポリマーを含み、例えば、ポリカーボネートを含む。他の材料も可能である（例えば、アセテート、ＴＲ９０、ＵＬＴＥＭ等）。そのような材料は、非常に薄型でありながら、より伝統的な材料から作られる眼鏡に似せたスタイリッシュなデザインを生み出す為に使用されることが可能であることから、美観上有利である。そのような材料は更に、色や模様を付けることによって様々なスタイルにすることが可能な点も有利である。色や模様はＵＶ印刷で付けることができ、ＵＶ印刷は、様々なスタイルを低コストで生成できることが有利でありうる。幾つかの実施形態では、レンズを傷つきにくくする為にハードコーティング処理が行われる。他のコーティングも可能である。例えば、反射防止コーティングや指紋防止コーティングも適用可能である。フレームは剛体材料を含んでよい（例えば、フレームは曲がらない）。
【００２１】
レンズはポリカーボネートを含んでよい。幾つかの実施形態では、レンズ１０４、１０６は、フレーム１０２と一体成形されてよい。例えば、レンズとフレームは、１つの固体片（例えば、１つのポリカーボネート固体片）として成形されてよい。幾つかの実施形態では、レンズ１０４、１０６は、フレーム１０２とは別個に成形されて、後でフレームに取り付けられてよい。
【００２２】
幾つかの実施形態では、鼻ブリッジ１０８は、フレームのそれ以外の部分と同じ材料（例えば、ポリカーボネート）を含む。幾つかの実施形態では、ブリッジ１０８は別の材料（例えば、ニチノール）を含んでよい。ブリッジ１０８とフレームの一部１２２とを組み合わせて、鼻パッドを全く使用せずに鼻に対する快適なフィット性を実現することが可能である。幾つかの実施形態では、別個の鼻パッドを使用して、フレームの、鼻と接触するエッジの、鼻との摩擦を高めることが可能である。眼鏡と鼻の間の摩擦を高める為に、低硬度エラストマ、グリットエンベデッドストリップ、マイクロテクスチャ等の材料がフレーム上で使用されてよい。幾つかの実施形態では、小さいギザギザをフレームに直接成形することによって、マイクロテクスチャが追加される。
【００２３】
ヒンジ１１４、１１６は、フレーム１０２の面内にヒンジポイントを含んでよい。このように配置することによって、折り畳まれた形態では、テンプルピース１１０、１１２がフレーム１０２にぴったりと付いて水平に置かれることが可能になりうる。幾つかの実施形態では、フレーム１０２はヒンジ１１４、１１２を含む。他の構成も可能である。幾つかの実施形態では、ヒンジ１１４、１１６の全体が（例えば、図６Ａ〜６Ｄに示されるように）フレーム１０２の面内にある。幾つかの実施形態では、ヒンジ１１４、１１６の一部がフレーム１０２と一体成形されている。幾つかの実施形態では、ヒンジ１１４、１１６の一部が別個に成形されて、フレーム１０２に取り付けられてよい。
【００２４】
幾つかの実施形態では、テンプルピースは金属（例えば、ニチノール）を含む。テンプルピースは、折り畳むとフレームにぴったり付くように構成されてよい。幾つかの実施形態では、テンプルピースは、折り畳むとフレームにほぼぴったり付くように構成される。
【００２５】
フレーム１０２とヒンジ１１４、１１６との間のつながりの強度を高める為に、ヒンジ１１４、１１６は、オーバモールドされた湾曲インサートを含んでよい。図３Ａ〜３Ｃは、フレーム３０４とヒンジ３０６とをつなぐこと、又はフレームとヒンジのつながりを強化することのために使用されるインサート３０２の一実施形態を示す。図３Ａはインサート３０２の拡大図であり、図３Ｂは、眼鏡１００に配置されたインサートを示す図である。インサートは、幾つかの実施形態では、金属（例えば、ステンレス綱）を含んでよい。ヒンジの、オーバモールドされた金属インサートピースのデザインは、成形材料（例えば、ポリカーボネート）の耐久性について妥協することなく、引き抜き力が非常に大きいようになっている。波状デザイン及び丸み付きコーナーは全て、オーバモールドされたプラスチック材料の応力亀裂につながりかねない応力集中を低減するように働く。インサートの湾曲部分は、起伏のある形状を含んでよい。幾つかの実施形態では、インサートは、正弦波形状又はジグザグ形状を含む。図３Ａの拡大図に示されるように、インサート３０２はフィレット３０８を含んでよい。インサートの長さは、約３．５ｍｍ（又は約３ｍｍ、約４ｍｍ、約３〜３．５ｍｍ、約３〜４ｍｍ、約２〜４ｍｍ、約３〜５ｍｍ等）であってよい。インサートの幅は、約１．５ｍｍ（又は約１ｍｍ、約２ｍｍ、約１〜２ｍｍ等）であってよい。上述のように、ヒンジとフレームのつながりが強いことにより、大きな引き抜き力を得ることが可能であり、そして、テンプルピースが、眼鏡１００の極薄型の維持を可能にしながらも、眼鏡１００をユーザの顔に適正配置するのに十分な圧力をかけることが可能になりうる。幾つかの実施形態では、テンプルピースからかかる力は、眼鏡をユーザの顔の安定位置に保持するのに十分でありうる。他の実施形態も可能である。例えば、ヒンジは、別の形状のヒンジ（例えば、直線的なヒンジ）を含んでよく、或いは別の方式でフレームにつながってよい。
【００２６】
図３Ｃの拡大図に示されるように、テンプルピースはヒンジに、ねじ３１０で取り付けられてよい。他の構成も可能である（例えば、圧入ピン）。
【００２７】
幾つかの実施形態では、テンプルピース１１４、１１６は、図１Ａ、及び図１Ｄの側面図に示されるように、テンプルチップ１１８、１２０を含んでよい。図１Ｄに示されるように、テンプルチップ１１８、１２０は、テンプルピースの他の部分より表面積が大きくてよい。このように表面積が大きいことは、テンプルピースからユーザの頭部にかかる圧力の一部を分散することに役立ちうる。テンプルチップ１１８、１２０は、テンプルピース１１４、１１６と同じ材料を含んでよい。幾つかの実施形態では、テンプルチップ１１８、１２０は、テンプルピース１１４、１１６と異なる材料を含む。例えば、テンプルチップは、低硬度エラストマ又はサーモスプラスチックを含んでよい。テンプルチップと頭部との間の摩擦を増やすこと、並びにテンプルチップ１１８、１２０の色をテンプルピース１１４、１１６の色と調和させることの為に、シリコーンやソフトタッチペイントのような材料が使用されてよい。
【００２８】
図２Ａ〜２Ｄは、眼鏡の別の実施形態２００の様々な図を示す。別段の記載がない限り、眼鏡２００の特徴は、図２Ａ〜２Ｄに示された眼鏡２００の特徴と同じであってよい。図２Ａの上面斜視図、及び図２Ｂの正面図に示されるように、眼鏡２００はフレーム２０２を含む。フレーム２０２は、第１のレンズ２０４及び第２のレンズ２０６を含む。レンズ２０４、２０６は、鼻ブリッジ２０８でつながっている。第１のレンズ２０４に隣接する、フレーム２０２の第１の側部から第１のテンプルピース２１０が延びる。第２のレンズ２０６に隣接する、フレーム２０２の第２の側部から第２のテンプルピース２１２が延びる。第１のテンプルピース２１０は、ヒンジ２１４でフレーム２０２につながっている。第２のテンプルピース２１２は、ヒンジ２１６でフレーム２０２につながっている。図２Ｄの側面図に最もよく示されているように、一方又は両方のテンプルピースがテンプルチップ部分２１８、２２０を含んでよい。
【００２９】
図２Ｅ及び２Ｆは、折り畳んだ形態の眼鏡２００を示す。図２Ｅの正面図に示される眼鏡２００は、フレーム２０２、レンズ２０４、２０６、及びブリッジ２０８を含む。テンプルピース２１０、２１２は、折り畳むと、フレーム２０２及びレンズ２０４、２０６に付く。ヒンジ２１４、２１６は、テンプルピース２１０、２１３をフレーム２０２につなぐ。テンプルチップ２１８、２２０が見えており、これらはテンプルピースに対して下方に角度付けされている。図２Ｆは、折り畳んだ形態の眼鏡２００の上面図を示しており、眼鏡が薄型であることがハイライトされている。
【００３０】
図１Ｃ、２Ｃ、及び２Ｆの上面図に示されるように、眼鏡１００の構成要素は極薄型を含んでよい。フレームの厚さは約２ｍｍであってよい。他の厚さも可能である（例えば、約１．５〜３．５ｍｍ、約１．７５〜２．２５ｍｍ、約１．８〜２．２ｍｍ、約１．９〜２．１ｍｍ、約１〜３ｍｍ、約２〜４ｍｍ等）。テンプルピースの厚さは約０．６ｍｍであってよい。他の厚さも可能である（例えば、約０．５〜０．７ｍｍ、約０．４〜０．８ｍｍ、約０．３〜０．９ｍｍ、約０．５〜１．０ｍｍ等）。幾つかの実施形態では、テンプルピースがレンズの上に折り畳まれた折り畳み形態での眼鏡の厚さは、約３．２ｍｍである。他の厚さも可能である（例えば、約３．５ｍｍ未満、約３〜３．５ｍｍ、約３〜４ｍｍ、約３．２５〜３．７５ｍｍ、約３〜３．４ｍｍ等）。
【００３１】
幾つかの実施形態では、折り畳まれた形態での眼鏡の厚さは、約２．６ｍｍである。例えば、フレームの厚さは約２ｍｍであってよい。テンプルピースの厚さは、それぞれ約０．６ｍｍであってよい。折り畳まれた形態においてテンプルピース同士が重ならない実施形態では、眼鏡全体の厚さは約２．６ｍｍである。これと同じ寸法の構成要素を有していて、折り畳まれた形態においてテンプルピース同士が重なり合う実施形態では、眼鏡の厚さは約３．２ｍｍである。
【００３２】
幾つかの実施形態では、折り畳まれた形態での眼鏡（例えば、眼鏡１００）の体積は、わずか約５ｃｍ３（例えば、約４．９ｃｍ３）である。他の体積も可能である（例えば、約４．９ｃｍ３、約４〜５ｃｍ３、約４〜６ｃｍ３、約４ｃｍ３、約６ｃｍ３等）。幾つかの実施形態では、眼鏡（例えば、眼鏡１００）の表面積は、約９５．５ｃｍ２（例えば、約９４．４５ｃｍ２）である。他の表面積も可能である（例えば、約９０〜１００ｃｍ２、約８０〜１００ｃｍ２、約９０〜１１０ｃｍ２等）。幾つかの実施形態では、眼鏡（例えば、眼鏡１００）の質量が約７．９ｇ（例えば、約７．８７ｇ）である。他の質量も可能である（例えば、約７ｇ、約８ｇ、約７〜８ｇ、約７〜９ｇ、約７〜１０ｇ等）。幾つかの実施形態では、眼鏡の体積は、折り畳まれた形態では、わずか約６ｃｍ３（例えば、約５．７５ｃｍ３）である。他の体積も可能である（例えば、約５．５ｃｍ３、約６ｃｍ３、約５〜６ｃｍ３、約５〜７ｃｍ３、約４〜７ｃｍ３、約５〜８ｃｍ３、約４〜６ｃｍ３、約３〜５ｃｍ３、７ｃｍ３超等）。幾つかの実施形態では、眼鏡（例えば、眼鏡２００）の表面積は、約１０９ｃｍ２（例えば、約１０８．６５ｃｍ２）である。他の表面積も可能である（例えば、約１１０ｃｍ２、約１００〜１１０ｃｍ２、約１００〜１２０ｃｍ２、約９０〜１１０ｃｍ２、約９０〜１２０ｃｍ２、約８０〜１２０ｃｍ２、１２０ｃｍ２超、約７０〜１００ｃｍ２等）。幾つかの実施形態では、眼鏡（例えば、眼鏡２００）の質量は、約８．９ｇ（例えば、約８．８９５ｇ）である。他の質量も可能である（例えば、約８ｇ、約９ｇ、約８〜１０ｇ、約７〜１０ｇ、約８−１１ｇ等）。
【００３３】
幾つかの実施形態では、眼鏡の重量は、約１０ｇ未満である。例えば、幾つかの実施形態では、眼鏡の重量は、約９．８ｇである。他の重量も可能である（例えば、８〜１０ｇ、７〜１０ｇ、約７ｇ、約８ｇ、約９ｇ、約１０ｇ、１０ｇ超等）。そのように軽量であることにより、眼鏡は非常に持ち運びしやすくなることが可能であり、例えば、スマートフォンに乗せたり、財布に入れたり、ポケットに引っかけたりしての持ち運びが非常にしやすくなることが可能である。更に、軽量であることで、ユーザにとっての眼鏡のかけ心地が非常によくなることが可能である。
【００３４】
幾つかの実施形態では、本明細書に開示の眼鏡は、一方又は両方のレンズが非球面であってよい。高インデックス材料の非球面レンズは、薄型を維持しながら十分な視力矯正を有利に行いうる。幾つかの実施形態では、高インデックス材料の屈折率は約１．５〜１．７５（例えば、約１．５３〜１．７４、約１．５〜１．８、約１．４〜１．８、約１．４〜１．７５等）である。幾つかの実施形態では、非球面レンズは複数の倍率を含み、各倍率は、例えば、下部が近距離の読書用、その近距離読書ゾーンの上方のセクションが中間距離（コンピュータ画面など）の読み取り用、そして、遠くの前方をまっすぐ見る為の非屈折の遠距離ゾーン用である。非球面レンズは、レンズの中央部分に厚いセクションがあって、レンズのエッジに向かって薄くなってよい。この薄くなることは、問題を提起する可能性がある。レンズがエッジに向かって薄くなりすぎて、眼鏡のフレームとの良好なつながりが得られなくなる可能性がある為である。本願発明者等が発見したところによれば、フレームのエッジに付加材料を追加することで、眼鏡のユーザにとって望ましい光学環境を維持しながら、レンズとフレームとのつながりを有利に強化することが可能である。この材料は、高インデックスの非球面レンズを形成する材料とは別個であり、視力矯正を行うものではない。この材料は、レンズ及びフレームを安定させる為に追加される透明な材料を含んでよい。
【００３５】
眼鏡が薄型であることで、非常に薄くて持ち運びが容易なケースに眼鏡を入れることが可能になりうる。その一実施形態を図４Ａ〜４Ｅに示す。図４Ａは、ケース４００の上面斜視図を示す。ケース４００は、上部部分４０２と、図４Ｅの底面斜視図に示されている下部部分４０４とを含む。上部部分４０２と下部部分４０４はヒンジでつながっており、図５Ａ及び５Ｂに示されるように開く。ラッチ４０６を使用して、ケースを閉じた状態に保つことが可能である。
【００３６】
ケース４００は、図４Ｂの正面図、及び図４Ｄの側面図に示されるように、非常に薄型である。幾つかの実施形態では、ケースの厚さは約４．５ｍｍである。他の厚さも可能である（例えば、４．３５〜４．５ｍｍ、４．２５〜４．７５ｍｍ、４．２〜４．７ｍｍ、４〜４．５ｍｍ、３〜５ｍｍ、３〜６ｍｍ、２〜５ｍｍ、３ｍｍ、３．２ｍｍ、３．５ｍｍ等）。
【００３７】
上部部分及び下部部分は、図４Ａ〜４Ｅに示されるように卵形であってよい。他の形状も可能である（例えば、矩形）。幾つかの実施形態では、ケースは、スマートフォンの背面に（例えば、両面テープ、マジックテープ（登録商標）、摺動溝、スナップ等で）取り付けられるように構成されてよい。ケースが薄型であることにより、有利なことに、スマートフォンに追加される厚さを最小限に抑えることが可能であり、ユーザは、眼鏡ケースを容易に他の日常アイテムとともに持ち運べるようになる。ケースは、アルマイト処理された艶消しアルミニウム、又は適切なコーティングが施されたステンレス綱と、ポリカーボネート／ＡＢＳコアとを含んでよい。
【００３８】
図５Ａはケースの一実施形態５００を示しており、この図は、上部部分５０２と下部部分５０４が分離されている、開いた形態を示している。図に示されるように、上部部分５０２及び下部部分５０４の内側に、本明細書に開示のような、折り畳まれた形態の眼鏡５１２（図５Ｂ）を受ける形状の凹部５０８、５１０がある。眼鏡に適合する形状にされたこれらの凹部は、眼鏡がケース内で押されないように眼鏡を保護することが可能である。眼鏡が薄型なので、ケースは、（例えば、約４．５ｍｍの）極薄でありながら、この保護を実現することが可能である。図５Ｂに示されるように、眼鏡５１２の周囲の凹部には余裕がある。凹部のこのような形状により、ケースは多様なスタイルの眼鏡を保持することが可能であり、これによって、１種類のケースを製造するだけで様々なスタイルの眼鏡に対応することが可能である。幾つかの実施形態では、凹部を形成する材料は、ポリカーボネート／ＡＢＳを含む。
【００３９】
図６Ａ〜６Ｄは、本明細書に開示の眼鏡に使用可能なヒンジの実施形態を示す。図６Ａに示されるように、ヒンジ６００は、テンプルピース６０２の端部において、テンプルピース６０２から形成される。テンプルピースの端部は、ループ６０４に成形される。このループには、ベアリング（例えば、デルリンなどの低摩擦プラスチックベアリング）が挿入されてよい（図示せず）。ヒンジアセンブリ６００は、フレーム６２２内に成形されたポケット６２０（図６Ｂ）に挿入される。テンプルピース及びベアリングを捕捉する為に、フレーム及びベアリング材料に貫通穴が開けられ、ピンが挿入される。テンプルピース及びヒンジアセンブリは、薄くても堅牢な材料（例えば、ステンレス綱）を含んでよい。このヒンジ構成により、ヒンジの全体又は大部分が眼鏡のフレーム及びレンズの面内にあることが可能であり、これによって眼鏡の全体厚さが最小限に抑えられる。この構成では、厚さ２ｍｍのフレームと厚さ０．６ｍｍのテンプルピースとを有する眼鏡の全体厚さは、テンプルピース同士が交差する場所以外の、アセンブリのほぼ全体を通して２．６ｍｍになる。幾つかの実施形態では、折り畳まれた形態においてテンプルピース同士が重ならないように構成されることが可能であり、厚さは、眼鏡全体を通して２．６ｍｍである。
【００４０】
図６Ｃは、図６Ａ及び６Ｂのヒンジアセンブリ６００を使用する眼鏡６３０の一実施形態の正面図を示す。一方のテンプルピース６０２だけがフレーム６３２につながっているように示されている。ポケット６２０は、フレーム６３２のもう一方の側に示されている。図６Ｄは眼鏡６３０の上面図を示しており、折り畳まれたテンプルピースがいかにぴったりとフレームに付いているかを示している。
【００４１】
本明細書において、ある特徴又は要素が別の特徴又は要素の「上に（ｏｎ）」あると言及された場合、その特徴又は要素は、直接その別の特徴又は要素に接していてよく、或いは、介在する特徴及び／又は要素が存在してもよい。これに対し、ある特徴又は要素が別の特徴又は要素の「直接上に（ｄｉｒｅｃｔｌｙ  ｏｎ）」あると言及された場合、介在する特徴及び／又は要素は存在しない。又、当然のことながら、ある特徴又は要素が別の特徴又は要素に「接続されている（ｃｏｎｎｅｃｔｅｄ）」、「取り付けられている（ａｔｔａｃｈｅｄ）」、又は「結合されている（ｃｏｕｐｌｅｄ）」と言及された場合、その特徴又は要素は、直接その別の特徴又は要素に接続されているか、取り付けられているか、結合されていてよく、或いは、介在する特徴又は要素が存在してもよい。これに対し、ある特徴又は要素が別の特徴又は要素に、「直接接続されている（ｄｉｒｅｃｔｌｙ  ｃｏｎｎｅｃｔｅｄ）」、「直接取り付けられている（ｄｉｒｅｃｔｌｙ  ａｔｔａｃｈｅｄ）」、又は「直接結合されている（ｄｉｒｅｃｔｌｙ  ｃｏｕｐｌｅｄ）」と言及された場合、介在する特徴又は要素は存在しない。そのように記載又は図示された特徴及び要素は、１つの実施形態に関して記載又は図示されているが、他の実施形態にも当てはまってよい。又、当業者であれば理解されるように、ある構造又は特徴が別の特徴に「隣接して（ａｄｊａｃｅｎｔ）」配置されていて、その構造又は特徴が言及された場合、その言及は、隣接する特徴と部分的に重なり合うか、隣接する特徴の下層となる部分を有してよい。
【００４２】
本明細書において使用された術語は、特定の実施形態を説明することのみを目的としており、本開示の限定を意図したものではない。例えば、本明細書において使用される単数形「ａ」、「ａｎ」、及び「ｔｈｅ」は、文脈上明らかに矛盾する場合を除き、複数形も同様に包含するものとする。更に、当然のことながら、「ｃｏｍｐｒｉｓｅｓ（含む）」及び／又は「ｃｏｍｐｒｉｓｉｎｇ（含む）」という語は、本明細書で使用された際には、述べられた特徴、手順、操作、要素、及び／又は構成要素の存在を明記するものであり、１つ以上の他の特徴、手順、操作、要素、構成要素、及び／又はこれらの集まりの存在又は追加を排除するものではない。本明細書では、「及び／又は（ａｎｄ／ｏｒ）」という用語は、関連付けられて列挙されたアイテムのうちの１つ以上のアイテムのあらゆる組み合わせを包含するものであり、「／」と略記されてよい。
【００４３】
「下に（ｕｎｄｅｒ）」、「下方に（ｂｅｌｏｗ）」、「下方の（ｌｏｗｅｒ）」、「上方の（ｏｖｅｒ）」、「上方の（ｕｐｐｅｒ）」などのような空間的に相対的な語句は、本明細書では、図面に示されるような、１つの要素又は特徴と別の要素又は特徴との関係を説明する場合に説明を簡単にする為に使用されてよい。当然のことながら、この空間的に相対的な語句は、使用時又は操作時の器具の、図面で描かれる向きに加えて、それ以外の向きも包含するものとする。例えば、図面内の器具が反転された場合、別の要素又は特徴の「下に（ｕｎｄｅｒ）」又は「真下に（ｂｅｎｅａｔｈ）」あると記載された要素は、その別の要素又は特徴の「上に（ｏｖｅｒ）」方向づけられることになる。従って、例えば、「下に（ｕｎｄｅｒ）」という語句は、「上に（ｏｖｅｒ）」及び「下に（ｕｎｄｅｒ）」の両方の向きを包含しうる。本装置は、他の方向づけ（９０度回転又は他の方向づけ）が行われてよく、それに応じて、本明細書で使用された空間的に相対的な記述子が解釈されてよい。同様に、「上方に（ｕｐｗａｒｄｌｙ）」、「下方に（ｄｏｗｎｗａｒｄｌｙ）」、「垂直方向の（ｖｅｒｔｉｃａｌ）」、「水平方向の（ｈｏｒｉｚｏｎｔａｌ）」などの用語は、本明細書では、特に断らない限り、説明のみを目的として使用される。
【００４４】
「第１の」及び「第２の」という語句は、本明細書では様々な特徴／要素（手順を含む）を説明する為に使用されてよいが、これらの特徴／要素は、文脈上矛盾する場合を除き、これらの語句によって限定されるべきではない。これらの語句は、ある特徴／要素を別の特徴／要素と区別する為に使用されてよい。従って、本発明の教示から逸脱しない限り、第１の特徴／要素が後述時に第２の特徴／要素と称されてもよく、同様に、第２の特徴／要素が後述時に第１の特徴／要素と称されてもよい
【００４５】
本明細書及び後続の特許請求の範囲の全体を通して、別段に記述しない限りは、「含む（ｃｏｍｐｒｉｓｅ）」という後、及びその変形である「含む（ｃｏｍｐｒｉｓｅｓ）」、「含む（ｃｏｍｐｒｉｓｉｎｇ）」などは、方法及び物品（例えば、装置（ｄｅｖｉｃｅ）及び方法を含む構成及び装置（ａｐｐａｒａｔｕｓ））において様々な構成要素が相互連帯して使用されてよいことを意味する。例えば、「含む（ｃｏｍｐｒｉｓｉｎｇ）」という語は、述べられた全ての要素又はステップの包含を意味するものであって、他のあらゆる要素又はステップの排除を意味するものではないことを理解されたい。
【００４６】
実施例において使用される場合も含め、本明細書及び特許請求の範囲において使用されているように、且つ、特に断らない限り、あらゆる数値は、「約（ａｂｏｕｔ）」又は「およそ（ａｐｐｒｏｘｉｍａｔｅｌｙ）」という語句が前置されているものとして読まれてよく、たとえ、その語句が明示的に現れていなくても、そのように読まれてよい。「約（ａｂｏｕｔ）」又は「およそ（ａｐｐｒｏｘｉｍａｔｅｌｙ）」という語句は、大きさ及び／又は位置を示す場合に、記載された値及び／又は位置が、妥当な予想範囲の値及び／又は位置に収まっていることを示す為に使用されてよい。例えば、数値は、述べられた値（又は値の範囲）の±０．１％の値であってよく、述べられた値（又は値の範囲）の±１％の値であってよく、述べられた値（又は値の範囲）の±２％の値であってよく、述べられた値（又は値の範囲）の±５％の値であってよく、述べられた値（又は値の範囲）の±１０％の値であってよく、他のそのような値であってよい。本明細書で与えられるいかなる数値も、文脈上矛盾する場合を除き、その値の前後のおおよその値も包含するものと理解されたい。例えば、値「１０」が開示されている場合は、「約１０」も開示されている。本明細書に記載のいかなる数値範囲も、そこに包含される全ての副範囲を包含するものとする。又、当然のことながら、当業者であれば適正に理解されるように、ある値が開示されていれば、その値「以下の」値、その値「以上の」値、及びそれらの値の間の可能な範囲も開示されている。例えば、値「Ｘ」が開示されていれば、「Ｘ以下の」値、及び「Ｘ以上の」値（例えば、Ｘが数値の場合）も開示されている。又、本出願全体を通して、データが幾つかの異なるフォーマットで与えられていること、並びにこのデータが終点及び始点を表していて、これらのデータ点の任意の組み合わせにわたる範囲を有することも理解されたい。例えば、特定のデータ点「１０」及び特定のデータ点「１５」が開示されていれば、１０と１５の間の値だけでなく、１０及び１５より大きい値、１０及び１５以上の値、１０及び１５より小さい値、１０及び１５以下の値、及び１０及び１５に等しい値も開示されていると見なされる。２つの特定の単数の間の各単数も開示されていることも理解されたい。例えば、１０及び１５が開示されていれば、１１、１２、１３、及び１４も開示されている。
【００４７】
ここまで様々な例示的実施形態を説明してきたが、特許請求の範囲によって示される本発明の範囲から逸脱しない限り、様々な実施形態に対して、幾つかある変更のいずれが行われてもよい。例えば、記載された各種方法ステップが実施される順序は、代替実施形態では変更されてよい場合が多く、代替実施形態によっては、１つ以上の方法ステップがまとめてスキップされてもよい。装置及びシステムの様々な実施形態の任意選択の特徴が、実施形態によっては含まれてよく、実施形態によっては含まれなくてよい。従って、上述の説明は、主に例示を目的としたものであり、特許請求の範囲に明記されている本発明の範囲を限定するように解釈されるべきではない。
【００４８】
本明細書に含まれる実施例及び具体例は、本発明対象が実施されうる具体的な実施形態を、限定ではなく例示として示す。言及されたように、他の実施形態が利用されたり派生したりしてよく、本開示の範囲から逸脱しない限り、構造的な、或いは論理的な置換又は変更が行われてよい。本発明対象のそのような実施形態は、本明細書においては、個別に参照されてよく、或いは、「本発明」という言い方でまとめて参照されてよく、「本発明」という言い方で参照することは、あくまで便宜上であって、本出願の範囲を、実際には２つ以上が開示されていても、いずれか１つの発明又は発明概念に自発的に限定することを意図するものではない。従って、本明細書では特定の実施形態を図示及び説明してきたが、この、示された特定の実施形態を、同じ目的を達成するように作られた任意の構成で置き換えてよい。本開示は、様々な実施形態のあらゆる翻案又は変形を包含するものである。当業者であれば、上述の説明を精査することにより、上述の複数の実施形態の組み合わせ、及び本明細書に具体的な記載がない他の実施形態が明らかになるであろう。
【図１Ａ】
2021534434.tif 000003
【図１Ｂ】
2021534434.tif 000004
【図１Ｃ】
2021534434.tif 000005
【図１Ｄ】
2021534434.tif 000006
【図２Ａ】
2021534434.tif 000007
【図２Ｂ】
2021534434.tif 000008
【図２Ｃ】
2021534434.tif 000009
【図２Ｄ】
2021534434.tif 000010
【図２Ｅ】
2021534434.tif 000011
【図２Ｆ】
2021534434.tif 000012
【図３Ａ】
2021534434.tif 000013
【図３Ｂ】
2021534434.tif 000014
【図３Ｃ】
2021534434.tif 000015
【図４Ａ】
2021534434.tif 000016
【図４Ｂ】
2021534434.tif 000017
【図４Ｃ】
2021534434.tif 000018
【図４Ｄ】
2021534434.tif 000019
【図５Ａ】
2021534434.tif 000020
【図５Ｂ】
2021534434.tif 000021
【図６Ａ】
2021534434.tif 000022
【図６Ｂ】
2021534434.tif 000023
【図６Ｃ】
2021534434.tif 000024
【図６Ｄ】
2021534434.tif 000025
【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
眼鏡であって、
鼻ブリッジでつながれた第１のレンズ及び第２のレンズを含むフレームであり、前記フレームの少なくとも一部はポリマー又はプラスチックを含む、前記フレームと、
前記フレームの第１の端部から延びていて、折り畳まれるように構成された第１のテンプルピースであって、折り畳まれた形態では折り畳まれて前記フレームに付くように構成された前記第１のテンプルピースと、
前記フレームの第２の端部から延びている第２のテンプルピースであって、折り畳まれた形態では折り畳まれて前記フレームに付くように構成された前記第２のテンプルピースと、
前記第１のテンプルピースを前記フレームの前記第１の端部につないでいる第１のヒンジと、
前記第２のテンプルピースを前記フレームの前記第２の端部につないでいる第２のヒンジと、
を含み、
前記第１のヒンジ及び前記第２のヒンジの少なくとも一方は、前記フレームの前記ポリマー又は前記プラスチックによってオーバモールドされたインサートを含み、
前記折り畳まれた形態の前記眼鏡の厚さは、３．５ｍｍ以下である、
眼鏡。
【請求項２】
前記インサートは、湾曲している、請求項１に記載の眼鏡。
【請求項３】
前記インサートは、起伏状、正弦波状、又はジグザグ状の形状をしている、請求項２に記載の眼鏡。
【請求項４】
前記インサートは、金属を含んでいる、請求項１に記載の眼鏡。
【請求項５】
前記フレームの少なくとも一部は、モールドされたポリマーを含んでいる、請求項１に記載の眼鏡。
【請求項６】
前記フレーム、前記第１のヒンジ、又は前記第２のヒンジの少なくとも一つは、ポリカーボネートを含んでいる、請求項１に記載の眼鏡。
【請求項７】
前記第１のテンプルピース及び前記第２のテンプルピースの少なくとも一方は、金属を含んでいる、請求項１に記載の眼鏡。
【請求項８】
前記第１のヒンジ及び前記第２のヒンジの少なくとも一方は、前記フレーム及びレンズの面内に含まれたヒンジポイントを含む、請求項１に記載の眼鏡。
【請求項９】
前記第１のヒンジ及び前記第２のヒンジの少なくとも一部は、前記フレームと一体成形されている、請求項１に記載の眼鏡。
【請求項１０】
前記第１のヒンジ及び前記第２のヒンジの少なくとも一部は、前記フレームと別体成形され前記フレームに取り付けられている、請求項１に記載の眼鏡。
【請求項１１】
前記第１のレンズ及び前記第２のレンズの少なくとも一方は、高インデックスの非球面レンズを含む、請求項１に記載の眼鏡。
【請求項１２】
眼鏡の製造方法であって、
鼻ブリッジでつながれた第１のレンズ及び第２のレンズを含む、ポリマーのフレームをモールディングするステップと、
前記フレームから延びるように構成され、折り畳まれた形態では折り畳まれて前記フレームに付くように構成された、第１のテンプルピースを用意するステップと、
前記フレームから延びるように構成され、折り畳まれた形態では折り畳まれて前記フレームに付くように構成された、第２のテンプルピースを用意するステップと、
前記第１のテンプルピースを前記フレームの第１の端部に接続するために第１のヒンジをオーバーモールドし、前記第２のテンプルピースを前記フレームの第２の端部に接続するために第２のヒンジをオーバーモールドすることを含む、モールディングステップと、を含み、
前記折り畳まれた形態の前記眼鏡の厚さは、３．５ｍｍ以下である、
方法。
【請求項１３】
前記フレームへのＵＶ印刷により、色又は模様を付けるステップを更に含む、請求項１２に記載の方法。
【請求項１４】
前記第１のテンプルピース及び前記第２のテンプルピースの少なくとも一方に、めっき又はソフトタッチペイントを適用して、色又はデザインを施すステップを更に含む、請求項１２に記載の方法。
【請求項１５】
前記ポリマーは、ポリカーボネートを含み、前記モールディングステップは、前記第１のレンズ及び前記第２のレンズを、前記フレームと一体成形されたポリカーボネートから成形することを含む、請求項１２に記載の方法。
【手続補正２】
【補正対象書類名】明細書
【補正対象項目名】００４８
【補正方法】変更
【補正の内容】
【００４８】
本明細書に含まれる実施例及び具体例は、本発明対象が実施されうる具体的な実施形態を、限定ではなく例示として示す。言及されたように、他の実施形態が利用されたり派生したりしてよく、本開示の範囲から逸脱しない限り、構造的な、或いは論理的な置換又は変更が行われてよい。本発明対象のそのような実施形態は、本明細書においては、個別に参照されてよく、或いは、「本発明」という言い方でまとめて参照されてよく、「本発明」という言い方で参照することは、あくまで便宜上であって、本出願の範囲を、実際には２つ以上が開示されていても、いずれか１つの発明又は発明概念に自発的に限定することを意図するものではない。従って、本明細書では特定の実施形態を図示及び説明してきたが、この、示された特定の実施形態を、同じ目的を達成するように作られた任意の構成で置き換えてよい。本開示は、様々な実施形態のあらゆる翻案又は変形を包含するものである。当業者であれば、上述の説明を精査することにより、上述の複数の実施形態の組み合わせ、及び本明細書に具体的な記載がない他の実施形態が明らかになるであろう。
〔付記１〕
眼鏡であって、
鼻ブリッジでつながれた第１のレンズ及び第２のレンズを含むフレームと、
前記フレームの第１の端部から延びていて、折り畳まれるように構成された第１のテンプルピースであって、折り畳まれた形態では折り畳まれて前記フレームに付くように構成された前記第１のテンプルピースと、
前記フレームの第２の端部から延びている第２のテンプルピースであって、折り畳まれた形態では折り畳まれて前記フレームに付くように構成された前記第２のテンプルピースと、
前記第１のテンプルピースを前記フレームの前記第１の端部につないでいる第１のヒンジと、
前記第２のテンプルピースを前記フレームの前記第２の端部につないでいる第２のヒンジと、
を含み、
前記眼鏡の厚さが、前記折り畳まれた形態では、わずか３．５ｍｍである、
眼鏡。
〔付記２〕
前記第１のヒンジは、前記フレーム及びレンズの面内に含まれたヒンジポイントを含む、付記１に記載の眼鏡。
〔付記３〕
前記第２のヒンジは、前記フレーム及びレンズの面内に含まれたヒンジポイントを含む、付記１に記載の眼鏡。
〔付記４〕
前記第１のヒンジは、前記フレーム及びレンズの面内に含まれている、付記１に記載の眼鏡。
〔付記５〕
前記第２のヒンジは、前記フレーム及びレンズの面内に含まれている、付記１に記載の眼鏡。
〔付記６〕
前記第１のレンズ及び前記第２のレンズの少なくとも一方が、高インデックス材料を含む非球面レンズである、付記１に記載の眼鏡。
〔付記７〕
前記非球面レンズを前記フレームまで延ばす為に、前記レンズのエッジに付加レンズ材料が追加されている、付記６に記載の眼鏡。
〔付記８〕
前記フレームは剛体材料を含む、付記１に記載の眼鏡。
〔付記９〕
付記１に記載の眼鏡と、厚さが約４．５ｍｍであるケースと、を含むアイウェアシステム。
〔付記１０〕
前記第１のヒンジ及び前記第２のヒンジの少なくとも一方が、前記フレームにつながる為の、オーバモールドされた、起伏のあるインサートを含む、付記１に記載の眼鏡。
〔付記１１〕
前記第１のヒンジ及び前記第２のヒンジの少なくとも一方が、前記フレームにつながる為の、オーバモールドされた、正弦波形状のインサートを含む、付記１に記載の眼鏡。
〔付記１２〕
前記第１のヒンジ及び前記第２のヒンジの少なくとも一方が、前記対応するヒンジにつながる為の、オーバモールドされた、ジグザグ形状のインサートを含む、付記１に記載の眼鏡。
〔付記１３〕
前記オーバモールドされたインサートはプラスチックオーバモールドを含む、付記１０〜１２のいずれか一項に記載の眼鏡。
〔付記１４〕
前記眼鏡の厚さは、前記折り畳まれた形態では約３．２ｍｍである、付記１に記載の眼鏡。
〔付記１５〕
前記眼鏡の厚さは、前記折り畳まれた形態では約２．６ｍｍである、付記１に記載の眼鏡。
〔付記１６〕
前記第１のレンズ及び前記第２のレンズの少なくとも一方が、高インデックスの非球面レンズを含む、付記１に記載の眼鏡。
〔付記１７〕
前記フレームはポリカーボネートを含む、付記１に記載の眼鏡。
〔付記１８〕
前記第１のヒンジ及び前記第２のヒンジの少なくとも一方がポリカーボネートを含む、付記１に記載の眼鏡。
〔付記１９〕
前記第１のヒンジ及び前記第２のヒンジの少なくとも一部が前記フレームと一体成形されている、付記１に記載の眼鏡。
〔付記２０〕
前記第１のヒンジ及び前記第２のヒンジの少なくとも一部が、前記フレームとは別個に成形されて、前記フレームに取り付けられている、付記１に記載の眼鏡。
〔付記２１〕
前記第１のテンプルピース及び前記第２のテンプルピースの少なくとも一方が金属を含む、付記１に記載の眼鏡。
〔付記２２〕
前記第１のテンプルピース及び前記第２のテンプルピースの少なくとも一方がニチノールを含む、付記１に記載の眼鏡。
〔付記２３〕
前記第１のテンプルピース及び前記第２のテンプルピースの少なくとも一方が、前記フレームの色又はデザインと調和するようにめっき又はペイントが施されている、付記１に記載の眼鏡。
〔付記２４〕
前記フレームは色又はデザインを含む、付記１に記載の眼鏡。
〔付記２５〕
前記ヒンジは、前記第１のテンプルピース及び前記第２のテンプルピースの少なくとも一方のテンプルピースの端部に形成されたループと、前記フレームのエッジに形成されたポケットと、を含み、前記ループは前記ポケットに挿入されるように構成されている、付記１に記載の眼鏡。
〔付記２６〕
前記ポケット及び前記ループの貫通穴に挿入されたピンを更に含み、前記ループは前記ピンを中心に回転するように構成されている、付記２５に記載の眼鏡。
〔付記２７〕
前記ループ内に挿入されるように構成されたベアリングを更に含む、付記２５に記載の眼鏡。
〔付記２８〕
眼鏡の製造方法であって、
鼻ブリッジでつながれた第１のレンズ及び第２のレンズを含むフレームを用意するステップと、
前記フレームの第１の端部から延びて、折り畳まれるように構成された第１のテンプルピースであって、折り畳まれた形態では折り畳まれて前記フレームに付くように構成された前記第１のテンプルピースを用意するステップと、
前記フレームの第２の端部から延びる第２のテンプルピースであって、折り畳まれた形態では折り畳まれて前記フレームに付くように構成された前記第２のテンプルピースを用意するステップと、
前記第１のテンプルピースを前記フレームの前記第１の端部につなぐ第１のヒンジを用意するステップと、
前記第２のテンプルピースを前記フレームの前記第２の端部につなぐ第２のヒンジを用意するステップと、
を含み、
前記眼鏡の厚さが、前記折り畳まれた形態では、わずか３．５ｍｍである、
方法。
〔付記２９〕
前記フレームへのＵＶ印刷により、色又は模様を付けるステップを更に含む、付記２８に記載の方法。
〔付記３０〕
前記第１及び第２のテンプルピースの少なくとも一方にめっきを行うことによって色又はデザインを施すステップを更に含む、付記２８に記載の方法。
〔付記３１〕
前記第１及び第２のテンプルピースの少なくとも一方にソフトタッチペイントを適用して色又はデザインを施すステップを更に含む、付記２８に記載の方法。
〔付記３２〕
前記レンズの少なくとも一方が、高インデックス材料を含む非球面レンズである、付記２８に記載の方法。
〔付記３３〕
前記フレームを用意する前記ステップは、前記非球面レンズを、前記フレームに届くように延ばす為に、前記非球面レンズのエッジに付加材料を追加するステップを含む、付記３２に記載の方法。
〔付記３４〕
前記フレームを用意する前記ステップは、前記非球面レンズの前記エッジを厚くする為に、前記非球面レンズのエッジに付加材料を追加するステップを含む、付記３２に記載の方法。
〔付記３５〕
鼻ブリッジでつながれた第１のレンズ及び第２のレンズを含むフレームであって、前記２つのレンズの少なくとも一方が、高インデックス材料を含む非球面レンズであり、前記非球面レンズのエッジが、前記非球面レンズの前記エッジを厚くする為の付加材料を含む、前記フレームと、
前記フレームの第１の端部から延びていて、折り畳まれるように構成された第１のテンプルピースであって、折り畳まれた形態では折り畳まれて前記フレームに付くように構成された前記第１のテンプルピースと、
前記フレームの第２の端部から延びている第２のテンプルピースであって、折り畳まれた形態では折り畳まれて前記フレームに付くように構成された前記第２のテンプルピースと、
前記第１のテンプルピースを前記フレームの前記第１の端部につないでいる第１のヒンジと、
前記第２のテンプルピースを前記フレームの前記第２の端部につないでいる第２のヒンジと、
を含む眼鏡。
〔付記３６〕
前記非球面レンズのインデックスは約１．５〜１．７５である、付記３５に記載の眼鏡。
〔付記３７〕
前記眼鏡の厚さが、折り畳まれた形態では約３．５ｍｍ未満である、付記３５に記載の眼鏡。
〔付記３８〕
前記フレームの厚さが約２ｍｍである、付記３５に記載の眼鏡。
〔付記３９〕
前記フレームはポリマーを含む、付記３５に記載の眼鏡。
〔付記４０〕
前記フレームはポリカーボネートを含む、付記３５に記載の眼鏡。
〔付記４１〕
前記第１のヒンジは、前記フレーム及びレンズの面内に含まれたヒンジポイントを含む、付記３５に記載の眼鏡。
〔付記４２〕
前記第２のヒンジは、前記フレーム及びレンズの面内に含まれたヒンジポイントを含む、付記３５に記載の眼鏡。
〔付記４３〕
前記第１のヒンジは、前記フレーム及びレンズの面内に含まれている、付記３５に記載の眼鏡。
〔付記４４〕
前記第２のヒンジは、前記フレーム及びレンズの面内に含まれている、付記３５に記載の眼鏡。
〔付記４５〕
付記３５に記載の眼鏡と、厚さが約４．３５〜４．５ｍｍであるケースと、を含むアイウェアシステム。
〔付記４６〕
前記第１のヒンジ及び前記第２のヒンジの少なくとも一方が、前記フレームにつながる為の、オーバモールドされた、起伏のあるインサートを含む、付記３５に記載の眼鏡。
〔付記４７〕
前記第１のヒンジ及び前記第２のヒンジの少なくとも一方が、前記フレームにつながる為の、オーバモールドされた、正弦波形状のインサートを含む、付記３５に記載の眼鏡。
〔付記４８〕
前記第１のヒンジ及び前記第２のヒンジの少なくとも一方が、前記フレームにつながる為の、オーバモールドされた、ジグザグ形状のインサートを含む、付記３５に記載の眼鏡。
〔付記４９〕
前記オーバモールドされたインサートはプラスチックフィレットを含む、付記４６〜４８のいずれか一項に記載の眼鏡。
〔付記５０〕
前記眼鏡の厚さは、前記折り畳まれた形態では約３．２ｍｍである、付記３５に記載の眼鏡。
〔付記５１〕
前記眼鏡の厚さは、前記折り畳まれた形態では約２．６ｍｍである、付記３５に記載の眼鏡。
〔付記５２〕
前記第１のレンズ及び前記第２のレンズの両方が高インデックスの非球面レンズを含む、付記３５に記載の眼鏡。
〔付記５３〕
前記フレームはポリカーボネートを含む、付記３５に記載の眼鏡。
〔付記５４〕
前記第１のヒンジ及び前記第２のヒンジの少なくとも一方がポリカーボネートを含む、付記３５に記載の眼鏡。
〔付記５５〕
前記第１のヒンジ及び前記第２のヒンジが前記フレームと一体成形されている、付記３５に記載の眼鏡。
〔付記５６〕
前記第１のヒンジ及び前記第２のヒンジが、前記フレームとは別個に成形されて、前記フレームに取り付けられている、付記３５に記載の眼鏡。
〔付記５７〕
前記第１のテンプルピース及び前記第２のテンプルピースの少なくとも一方がニチノールを含む、付記３５に記載の眼鏡。
〔付記５８〕
前記第１のテンプルピース及び前記第２のテンプルピースの少なくとも一方が、前記フレームの色又はデザインと調和するようにめっき又はペイントが施されている、付記３５に記載の眼鏡。
〔付記５９〕
前記フレームは色又はデザインを含む、付記３５に記載の眼鏡。
〔付記６０〕
前記ヒンジは、前記第１のテンプルピース及び前記第２のテンプルピースの少なくとも一方のテンプルピースの端部に形成されたループと、前記フレームのエッジに形成されたポケットと、を含み、前記ループは前記ポケットに挿入されるように構成されている、付記３５に記載の眼鏡。
〔付記６１〕
前記ポケット及び前記ループの貫通穴に挿入されたピンを更に含み、前記ループは前記ピンを中心に回転するように構成されている、付記６０に記載の眼鏡。
〔付記６２〕
前記ループ内に挿入されるように構成されたベアリングを更に含む、付記６０に記載の眼鏡。
〔付記６３〕
眼鏡の製造方法であって、
鼻ブリッジでつながれた２つのレンズ開口部を含むフレームを用意するステップと、
前記レンズ開口部に配置される２つのレンズであって、前記２つのレンズの少なくとも一方が、高インデックス材料を含む非球面レンズである、前記２つのレンズを用意するステップと、
前記レンズの前記エッジを厚くして、前記レンズと前記レンズ開口部とのつながりを強化する為に、前記非球面レンズのエッジに付加材料を追加するステップと、
前記フレームの第１の端部から延びて、折り畳まれるように構成された第１のテンプルピースであって、折り畳まれた形態では折り畳まれて前記フレームに付くように構成された前記第１のテンプルピースを用意するステップと、
前記フレームの第２の端部から延びる第２のテンプルピースであって、折り畳まれた形態では折り畳まれて前記フレームに付くように構成された前記第２のテンプルピースを用意するステップと、
前記第１のテンプルピースを前記フレームの前記第１の端部につなぐ第１のヒンジを用意するステップと、
前記第２のテンプルピースを前記フレームの前記第２の端部につなぐ第２のヒンジを用意するステップと、
を含む方法。
〔付記６４〕
前記フレームへのＵＶ印刷により、色又は模様を付けるステップを更に含む、付記６３に記載の方法。
〔付記６５〕
前記第１及び第２のテンプルピースの少なくとも一方にめっきを行うことによって色又はデザインを施すステップを更に含む、付記６３に記載の方法。
〔付記６６〕
前記第１及び第２のテンプルピースの少なくとも一方にソフトタッチペイントを適用して色又はデザインを施すステップを更に含む、付記６３に記載の方法。
〔付記６７〕
前記非球面レンズのエッジに付加材料を追加する前記ステップによって、前記レンズが前記レンズ開口部のエッジまで延びる、付記６３に記載の方法。
〔付記６８〕
鼻ブリッジでつながれた第１のレンズ及び第２のレンズを含むフレームであって、前記フレームの第１の端部に形成された第１のポケットと、前記フレームの第２の端部に形成された第２のポケットと、を含む前記フレームと、
前記フレームの前記第１の端部から延びて、折り畳まれるように構成された第１のテンプルピースであって、前記第１のテンプルピースは、折り畳まれた形態では折り畳まれて前記フレームに付くように構成されており、前記第１のテンプルピースは、前記テンプルピースの端部に形成された第１のループを含み、前記第１のループは、前記フレームの前記第１のポケットに挿入されるように構成されている、前記第１のテンプルピースと、
前記フレームの前記第２の端部から延びる第２のテンプルピースであって、前記第２のテンプルピースは、折り畳まれた形態では折り畳まれて前記フレームに付くように構成されており、前記第２のテンプルピースは、前記テンプルピースの端部に形成された第２のループを含み、前記第２のループは、前記フレームの前記第２のポケットに挿入されるように構成されている、前記第２のテンプルピースと、
を含む眼鏡。
〔付記６９〕
前記第１及び第２のループ内に挿入されるように構成されたベアリングを更に含む、付記６７に記載の眼鏡。
〔付記７０〕
前記第１のポケット及び前記第１のループの貫通穴に挿入されるように構成された第１のピンと、前記第２のポケット及び前記第２のループの貫通穴に挿入されるように構成された第２のピンと、を更に含む、付記６７に記載の眼鏡。
【国際調査報告】
2021534434.tif 000026
2021534434.tif 000027